(57)【要約】【課題】間接活線工具を用いて安全かつ容易に確実に取り付けることができ、また、スリーブの位置にスリーブカバーを正確に包被できると共に、取り付けた後においては移動することがなく、かつスリーブが曲がっていても包被することができる。【解決手段】スリーブカバー本体１と、その両側部に嵌合する電線導出口２，２をそれぞれ有する嵌合体３、３とからなる。スリーブカバー本体１の両側部の外周面に作業工具の受止係止片４，４を突設する。両嵌合体３，３には先細状の傾斜胴３ｂ、３ｂを延出させて電線摺接部３ｃ、３ｃを設ける。該摺接部３ｃ、３ｃから外方に拡大する開口部３ｄ、３ｄを形成する。【選択図】　　図１
2004014221.tif 000002
【特許請求の範囲】
【請求項１】
絶縁材よりなる円筒状のスリーブカバー本体と、その両側部に嵌合する電線導出口をそれぞれ有する嵌合体とからなる３ピース構造の直線スリーブカバーであって、スリーブカバー本体の両側部の外周面に作業工具の受止係止片を突設すると共に、両嵌合体の外側端から先細り状の傾斜胴を延出させて電線摺接部を設け、該摺接部から外方に拡大する開口部を形成して構成したことを特徴とする直線スリーブカバー。
【請求項２】
スリーブカバー本体の両側部に段付き拡大部を形成して、該拡大部に嵌合体を嵌合した請求項１に記載の直線スリーブカバー。
【請求項３】
スリーブカバー本体は低密度ポリエチレン樹脂で形成し、嵌合体は高密度ポリエチレン樹脂で形成した請求項１または請求項２に記載の直線スリーブカバー。
【発明の詳細な説明】
【０００１】
【発明の属する技術分野】
本発明は、２本の架空電線を直線的に接続する際に用いるスリーブを包被するカバーに関するもので、さらに詳しくは、間接活線工具を用いて通電状態での作業を可能にすると共に、スリーブの位置に正確に装着できる直線スリーブカバーに関するものである。
【０００２】
【従来の技術】
架空電線の接続作業においては、接続される２本の電線端部の被覆部を適宜長さ剥離して裸電線とし、その裸電線を裸電線と同質材料の金属管からなるスリーブ内に挿入し、スリーブを圧縮することにより電線を接続している。このスリーブには安全および保護のために合成樹脂やゴム等の絶縁性のカバーが被されている。
【０００３】
従来のスリーブカバーは、図１３，１４に示すように、スリーブカバー本体１１の両側部に先細部１１ａ，１１ａを形成した合成樹脂製の細長い円筒体であり、その先細部１１ａ，１１ａの開口部１２，１２の周縁４箇所から先細部１１ａ，１１ａの長さ方向に沿ってスリット１２ａ………１２ａが刻設されており、開口部１２の径より大きな径の電線でも開口部１２，１２が広がり外周に密接して被覆できるようになっている。
【０００４】
このスリーブカバーをスリーブに取り付けるには、スリーブカバーを予め接続される一方の架空電線に通しておき、電線がスリーブによって接続された後、スリーブの位置まで移動させてスリーブを包被している。
【０００５】
しかしながら、間接活線工具でスリーブカバーを把持して移動させる時に、強く把持しないと間接活線工具が滑り、スムーズな移動ができず取り付け作業に時間を要すると言った問題点があった。
【０００６】
また、従来のスリーブカバーでは、スリーブが正確に中央に位置するようにカバーを被せるのが非常に困難で、どうしても一方に片寄ったりすることがあり、充分にスリーブを被覆できず、安全な沿面距離を確保することができなかった。
【０００７】
さらに、スリーブカバーを取り付けるには、先細部の開口部を手で拡げて電線に挿通しなければならず、移動させていくうちにその先細部が電線の径より大径のスリーブに当ると、さらに開口部を拡大して移動させなければならず、非常に面倒であった。また、包被後には先細部の箇所を絶縁テープで何重にも巻き付けて止めるか、あるいは締付バンド等で締め付けているが、その締着作業が非常にやりにくかった。
【０００８】
また、電線接続時のスリーブの外周を圧縮工具で圧縮する時に、スリーブが弧状に屈曲することがあり、スリーブが屈曲すると、いくら先細部にスリットが形成してあって開口部が拡大するとしても、その屈曲部に沿ってスリーブカバーを挿通するのが困難になり、使用することができないと言った問題点があった。
【０００９】
【発明が解決しようとする課題】
本発明は、上記の問題を解決することを課題として開発されたもので、間接活線工具を用いて、安全かつ容易に確実に取り付けることができ、また、スリーブの位置にスリーブカバーを正確に包被できると共に、取り付けた後においては移動することがなく、かつスリーブが曲がっていても包被することのできるスリーブカバーを提供することを目的とするものである。
【００１０】
【課題を解決するための手段】
上記の課題を解決し、その目的を達成する手段として、本発明では、絶縁材よりなる円筒状のスリーブカバー本体と、その両側部に嵌合する電線導出口をそれぞれ有する嵌合体とからなる３ピース構造の直線スリーブカバーであって、スリーブカバー本体の両側部の外周面に作業工具の受止係止片を突設すると共に、両嵌合体の外側端から先細り状の傾斜胴を延出させて電線摺接部を設け、該摺接部から外方に拡大する開口部を形成して構成したことを特徴とする直線スリーブカバーを開発し、採用した。
【００１１】
また、本発明では、上記のように構成したスリーブカバーにおいて、スリーブカバー本体の両側部に段付き拡大部を形成して、該拡大部に嵌合体を嵌合した直線スリーブカバー、およびスリーブカバー本体は低密度ポリエチレン樹脂で形成し、嵌合体は高密度ポリエチレン樹脂で形成した直線スリーブカバーを開発し、採用した。
【００１２】
【発明の実施の形態】
以下に、本発明の実施の形態を添付の図面に基づいて説明すれば、本発明に係るスリーブカバーは、低密度ポリエチレン樹脂から形成された細長いスリーブカバー本体１と、このスリーブカバー本体１の両側部に一体的に嵌合される高密度ポリエチレン樹脂から形成された電線導出口２をそれぞれ有する嵌合体３，３とから構成されている。
【００１３】
上記のスリーブカバー本体１は、両側部の内径を中間部の内径よりやや大径にした段付き拡大部１ａを備えており、その段付き拡大部１ａ内に電線導出口２を有する嵌合体３が嵌合される。
【００１４】
４は段付き拡大部１ａの段部の外周面に突設した間接活線工具などの受止係止片で、スリーブカバー本体１を把持して移動させる時に、間接活線工具が滑らないように間接活線工具の側面部を当てて移動を確実にするものである。５はスリーブカバー本体１の側端部近傍の上端面と下端面に穿設した透孔であり、後述の嵌合体３の突起部６が係合し密着一体化する。
【００１５】
スリーブカバー本体１の長さは、図１１に示すように、電線Ａ、Ａの被覆部Ｂ、Ｂを剥離して露出させた裸線Ｃ、Ｃの端部を完全に被覆すると共に、その先の被覆部Ｂ、Ｂまで被う長さのものである。
【００１６】
一方、嵌合体３は、図２、３に示すように、直胴３ａと傾斜胴３ｂと電線摺接部３ｃと拡大開口部３ｄおよび舌片３ｅとで構成されている。すなわち、その直胴３ａはスリーブカバー本体１の両側部の段付き拡大部１ａ内に嵌合されるものであり、また、その傾斜胴３ｂは直胴３ａの側端部から先細り状に延出して形成した挟巾の電線摺接部３ｃを備え、さらに該電線摺接部３ｃから外方に拡大した開口部３ｄを備えている。また、開口部３ｄの４箇所にスリット３ｆが長さ方向に設けてあり、開口部３ｄが拡大するようになっている。さらに、嵌合体３の差込み側の端部には、図３に示すように、外周面に９０度の間隔で中心に向かって４つの梯形状の舌片３ｅが放射状に突出形成されている。６は直胴３ａの外周面に設けた突起部で、前述のスリーブカバー本体１の側端部近傍の上端面と下端面に穿設した透孔５と係合するものである。
【００１７】
このように構成した本発明のスリーブカバーをスリーブに取り付ける態様を図５〜図１１で説明する。
（１）分離された２本の接続される左右の架空電線Ａ、Ａの端部の被覆部Ｂ、Ｂを所定長さ剥離して裸電線Ｃ、Ｃにする。（図５）
（２）スリーブカバー本体１の両側内部に電線導出口２を有する嵌合体３を嵌着したスリーブを接続されるどちらか一方の架空電線Ａ（この場合は左側）に挿通しておく。（図６）
（３）左右の裸電線Ｃ、Ｃの接続部にスリーブＤを用い、裸電線Ｃ、ＣをスリーブＤの左右開口部から挿入して中心部まで通す。（図７）
（４）スリーブＤの外周面を圧縮工具で圧縮して、所定間隔毎に圧縮部Ｅにて左右の裸電線Ｃ、Ｃを接続する。（図８）
（５）左側の架空電線Ａ側に挿通してあったスリーブカバー本体１を右側に移動させていく。（図９）
（６）間接活線工具Ｆの側面部を係止片４に当るように把持し、係止片４に押し当てて移動あるいは側面部で打叩して移動方向の右側に移動させる。（図１０）
（７）右側部嵌合体３の舌片３ｅがスリーブＤの右側端面を越えると、それまでスリーブＤの外周面と当接して外方に曲がっていた舌片３ｅがその弾力性によって垂直状態に戻る。それと同時に、左側部嵌合体３の舌片３ｅがスリーブＤの左側端面に達して係合する。すなわち、スリーブＤは舌片３ｅ，３ｅ間に挟入されて取り付けられる。（図１１）
【００１８】
このようにして取り付けられるスリーブカバーは、間接活線工具Ｆの側面部を利用して係止片４に当てたり、叩いたりしてスリーブＤの所定位置に確実に移動して取り付けることができる。また、嵌合体３の傾斜胴３ｂの電線摺接部３ｃにより、スリーブカバー本体１の移動時にガイドの働きをして円滑な移動ができ、スリーブＤが正確に中央に位置することになる。さらに、装着後、仮にスリーブカバーが電線の長さ方向に移動する力が働いたとしても、スリーブＤの左右側端面のどちらか一方に舌片３ｅが当接係止しており、この舌片３ｅは硬質製であるから、移動しょうとする力を充分受けとめ、スリーブカバー本体１の妄動を阻止することができ、安全且つ確実に包被しておくことができる。
【００１９】
図１２に示すのは、別の実施の形態を示すもので、スリーブＤが弧状に屈曲している場合の取り付け状態を示している。すなわち、スリーブＤが上向き弧状に曲がっていたとしても、スリーブカバー本体１は低密度ポリエチレン樹脂製で軟らかく可撓性があるから、その屈曲に沿って曲がり容易に挿通できて取り付けることができるものである。
【００２０】
以上、本発明の主要な実施の形態について説明したが、本発明はこの実施の形態に限定されるものではなく、例えば、スリーブカバー本体と嵌合体とを別の合成樹脂やゴムなどで形成してもよく、絶縁性材料であればよいのであって、要するに、発明の目的を達成でき、かつ発明の要旨を逸脱しない範囲内で種々の設計変更が可能である。
【００２１】
【発明の効果】
以上のように、本発明に係る請求項１に記載のスリーブカバーによれば、絶縁材よりなる円筒状のスリーブカバー本体と、その両側部に嵌合する電線導出口をそれぞれ有する嵌合体とからなる３ピース構造の直線スリーブカバーであって、スリーブカバー本体の両側部の外周面に作業工具の受止係止片を突設すると共に、両嵌合体の外側端から先細り状の傾斜胴を延出させて電線摺接部を設け、該摺接部から外方に拡大する開口部を形成して構成したことを特徴とする直線スリーブカバーに係るものであるから、スリーブカバー本体を作業工具で把持し、その側面部を係止片に当てて移動させるので滑ったりすることなく、確実に所定の位置まで移動できて取り付けることができる。
【００２２】
また、嵌合体の傾斜胴を側端から延出させて電線摺接部を設けてあるから、スリーブカバー本体の移動時にガイドの役目をしてスムーズに滑らかに行うことができる。さらに、仮にスリーブカバー本体が電線の長さ方向に移動する力が働いたとしても、スリーブの一側端面に舌片が係合していてストツパーになっているので、移動することがなく、スリーブは常にスリーブカバーの中央部に位置していて安全性に優れる。
【００２３】
また、請求項２に記載のスリーブカバーによれば、スリーブカバー本体の両側部に段付き拡大部を形成して、該拡大部に嵌合体を嵌合しているから、スリーブカバー本体と強固に密着し妄動することなく、スリーブは常にスリーブカバーの中央部の所定位置に止まる。
【００２４】
さらに、請求項３のスリーブカバーによれば、スリーブカバー本体は低密度ポリエチレン樹脂で形成されているから、軟質で柔軟性にすぐれているから、スリーブが曲がっていたとしても、容易に挿通して取り付けることができる。また、嵌合体は高密度ポリエチレン樹脂で形成されているから、硬質で強固となり長期に耐え得るものである。
【図面の簡単な説明】
【図１】スリーブカバーの縦断正面図である。
【図２】電線導出口を有する嵌合体の縦断正面図である。
【図３】その右側面図である。
【図４】図１のＡ部拡大簡略図である。
【図５】〜
【図１１】スリーブカバーの取り付け順序を示す縦断正面図である。
【図１２】別の例の取り付け状態を示す縦断正面図である。
【図１３】従来のスリーブカバーの縦断正面図である。
【図１４】図１３の側面図である。
【符号の説明】
１　　スリーブカバー本体
２　　電線導出口
３　　嵌合体
４　　受止係止片
３ｂ　傾斜胴
３ｃ　電線摺接部
３ｄ　拡大開口部
【図１】
2004014221.tif 000003
【図２】
2004014221.tif 000004
【図３】
2004014221.tif 000005
【図４】
2004014221.tif 000006
【図５】
2004014221.tif 000007
【図６】
2004014221.tif 000008
【図７】
2004014221.tif 000009
【図８】
2004014221.tif 000010
【図９】
2004014221.tif 000011
【図１０】
2004014221.tif 000012
【図１１】
2004014221.tif 000013
【図１２】
2004014221.tif 000014
【図１３】
2004014221.tif 000015
【図１４】
2004014221.tif 000016